(57)【特許請求の範囲】
【請求項１】
下記を具備する、無線通信のための複数のメッセージを生成するための方法：
通信装置が、第１のメッセージプロトコルのデータを第２のメッセージプロトコルのフレームワーク内にカプセル化すること、ならびに、
前記通信装置が、該第２のメッセージプロトコルのデータに関して指定された割り当てスペースへと該カプセル化された第１のメッセージプロトコルのデータを伝送すること、ここにおいて、前記第２のメッセージプロトコルのデータに関して指定された前記割り当てスペース内の、前記カプセル化された第１のメッセージプロトコルのデータの存在が、メッセージデータの伝送に必要な情報ビット以外の追加のビットを使用することなしに、基地局とユーザ機器との間で操作をシグナリングするための制御メッセージとして使用される。
【請求項２】
該第１のメッセージプロトコルはユーザ機器固有のサーチスペースと関連付けられ、該第２のメッセージプロトコルは共通のサーチスペースと関連付けられる、請求項１に記載の方法。
【請求項３】
該第１のメッセージプロトコルは共通のサーチスペースと関連付けられ、該第２のメッセージプロトコルはユーザ機器固有のサーチスペースと関連付けられる、請求項１に記載の方法。
【請求項４】
該制御メッセージは、メッセージデータの伝送に必要な情報ビット以外の追加のビットを使用することなしに基地局とユーザ機器との間で操作をシグナリングするために使用される、請求項１に記載の方法。
【請求項５】
該操作は基地局とユーザ機器との間の再同期である、請求項４に記載の方法。
【請求項６】
該制御メッセージは物理ダウンリンク制御チャネル（ＰＤＣＣＨ）プロトコルの一部として伝送される、請求項４に記載の方法。
【請求項７】
該制御メッセージは、ダウンリンクデータが基地局からユーザ機器へと送られる準備のできた状態にあることを示すために生成される、請求項６に記載の方法。
【請求項８】
該制御メッセージはアクセスプリアンブルを含む、請求項７に記載の方法。
【請求項９】
該制御メッセージは周波数分割複信（ＦＤＤ）および時分割複信（ＴＤＤ）のための割り当てられた時間ロケーションを含む、請求項７に記載の方法。
【請求項１０】
該制御メッセージはＴＤＤのための割り当てられた周波数ロケーションを含む、請求項７に記載の方法。
【請求項１１】
該制御メッセージは初期伝送電力に対する割り当てられたオフセットを含む、請求項７に記載の方法。
【請求項１２】
前記通信装置が、コンテンションフリーアクセスまたはコンテンションベースのランダムアクセスを実行することをさらに具備する、請求項１１に記載の方法。
【請求項１３】
該制御メッセージはブロードキャスト制御チャネルフィールドを含む、請求項７に記載の方法。
【請求項１４】
該制御メッセージはランダムアクセスチャネルフィールドを含む、請求項７に記載の方法。
【請求項１５】
該制御メッセージはページングフィールドを含む、請求項７に記載の方法。
【請求項１６】
下記を具備する通信装置：
ユニキャストメッセージを共通のサーチスペースへとクロスカップルする、または共通のブロードキャストメッセージをＵＥ固有のサーチスペースへとクロスカップルする複数の命令を保持するメモリ、前記クロスカップルすることは、デバイスにおいて操作をシグナリングするために使用される、および、
該複数の命令を実行するプロセッサ。
【請求項１７】
該操作は再同期操作である、請求項１６に記載の装置。
【請求項１８】
該再同期操作はダウンリンクデータ転送をトリガする、請求項１７に記載の装置。
【請求項１９】
該データ転送を促進するために物理ダウンリンク制御チャネル（ＰＤＣＣＨ）プロトコルを利用することをさらに具備する、請求項１８に記載の装置。
【請求項２０】
下記を具備する通信装置：
前記通信装置が、第１のメッセージプロトコルのデータを第２のメッセージプロトコルのフレームワーク内でフォーマットするための手段、および、
前記通信装置が、該第２のメッセージプロトコルのデータに関して指定された割り当てスペースへと該カプセル化された第１のメッセージプロトコルのデータを伝送する手段、ここにおいて、前記第２のメッセージプロトコルのデータに関して指定された前記割り当てスペース内の、前記カプセル化された第１のメッセージプロトコルのデータの存在が、メッセージデータの伝送に必要な情報ビット以外の追加のビットを使用することなしに、基地局とユーザ機器との間で操作をシグナリングするための制御メッセージとして使用される。
【請求項２１】
下記をコンピュータに実行させるための命令を具備するコンピュータ読み取り可能な記録媒体：
ユーザ固有のメッセージを共通のブロードキャストスペースに結合すること、
該ユーザ固有のメッセージを伝送すること、および、
該ユーザ固有のメッセージが該共通のブロードキャストスペースに結合されていることを利用して、制御操作を示すこと。
【請求項２２】
下記の複数の命令を実行するプロセッサ：
前記プロセッサが、共通のブロードキャストメッセージをユーザ機器固有のスペースに結合すること、
前記プロセッサが、該共通のブロードキャストメッセージを伝送すること、および、
前記プロセッサが、該共通のブロードキャストメッセージが該ユーザ機器固有のスペースに結合されていることを利用して、制御操作を示すこと。
【請求項２３】
下記を具備する、無線通信のための複数のメッセージを処理するための方法：
通信装置が、第１のメッセージプロトコルのデータを第２のメッセージプロトコルのフレームワーク内でフォーマットすること、
ならびに、
前記通信装置が、該第２のメッセージプロトコルのデータに関して指定された割り当てスペースへと該フォーマットされた第１のメッセージプロトコルのデータを受け取ること、ここにおいて、前記第２のメッセージプロトコルのデータに関して指定された前記割り当てスペース内の、前記フォーマットされた第１のメッセージプロトコルのデータの存在が、メッセージデータの伝送に必要な情報ビット以外の追加のビットを使用することなしに、基地局とユーザ機器との間で操作をシグナリングするための制御メッセージとして使用される。
【請求項２４】
該第１のメッセージプロトコルはユーザ機器固有のサーチスペースと関連付けられ、該第２のメッセージプロトコルは共通のサーチスペースと関連付けられる、請求項２３に記載の方法。
【請求項２５】
該第１のメッセージプロトコルは共通のサーチスペースと関連付けられ、該第２のメッセージプロトコルはユーザ機器固有のサーチスペースと関連付けられる、請求項２３に記載の方法。
【請求項２６】
該制御メッセージは、メッセージデータの伝送に必要な情報ビット以外の追加のビットを使用することなしに、基地局とユーザ機器との間で操作をシグナリングするために使用される、請求項２３に記載の方法。
【請求項２７】
該操作は基地局とユーザ機器との間の再同期である、請求項２６に記載の方法。
【請求項２８】
下記を具備する通信装置：
共通のサーチスペースにおいてユニキャストメッセージを処理する、またはＵＥ固有のサーチスペースにおいて共通のブロードキャストメッセージを処理する複数の命令を保持するメモリ、前記共通のサーチスペース内の前記ユニキャストメッセージの存在または前記ＵＥ固有のサーチスペース内の前記共通のブロードキャストメッセージの存在は、デバイスにおいて操作をシグナリングするために使用される、および、
該複数の命令を実行するプロセッサ。
【請求項２９】
下記を具備する通信装置：
第１のメッセージプロトコルのデータを第２のメッセージプロトコルのフレームワーク内で処理するための手段、および、
該第２のメッセージプロトコルのデータに関して指定された割り当てスペースにおいて該処理された第１のメッセージプロトコルのデータを受け取るための手段、ここにおいて、前記第２のメッセージプロトコルのデータに関して指定された前記割り当てスペース内の、前記処理された第１のメッセージプロトコルのデータの存在が、メッセージデータの伝送に必要な情報ビット以外の追加のビットを使用することなしに、基地局とユーザ機器との間で操作をシグナリングするための制御メッセージとして使用される。
【請求項３０】
下記をコンピュータに実行させるための命令を具備するコンピュータ読み取り可能な記録媒体：
ユーザ固有のメッセージを共通のブロードキャストスペースに結合すること、
該ユーザ固有のメッセージを受け取ること、および、
制御操作を決定するために該共通のブロードキャストスペースを処理すること、ここにおいて、前記ユーザ固有のメッセージを前記共通のブロードキャストスペースに結合することは、前記制御操作を示すために利用される。
【請求項３１】
下記の複数の命令を実行するプロセッサ：
前記プロセッサが、共通のブロードキャストメッセージをユーザ機器固有のスペースに結合すること、
前記プロセッサが、該共通のブロードキャストメッセージを受け取ること、および、
前記プロセッサが、制御操作を決定するために該ユーザ機器固有のスペースをモニタすること、ここにおいて、前記共通のブロードキャストメッセージを前記ユーザ機器固有のスペースに結合することは、前記制御操作を示すために利用される。
【発明の詳細な説明】
【関連出願】
【０００１】
本願は、参照によってその全体がここに組み込まれる、２００８年５月１日に出願された、A METHOD AND APPARATUS FOR FORMATING PDCCH FOR DOWNLINK DATAと題された米国仮特許出願第６１／０４９７１４号の利益を請求する。
【技術分野】
【０００２】
以下の記述は、一般に、複数の無線通信システムに関し、より詳細には、既存の複数のメッセージ内で追加の複数の制御要素を使用しない、複数の制御メッセージの生成に関する。
【背景技術】
【０００３】
無線通信システムは、音声やデータなど、様々なタイプの通信コンテントを提供するために広く展開されている。これらのシステムは、利用可能な複数のシステムリソース（例えば、帯域幅および伝送電力）を共有することによってマルチプルなユーザとの通信をサポートすることが可能な、複数のマルチプル−アクセスシステムであることができる。そのような複数のマルチプル−アクセスシステムの例は、符号分割多元接続（ＣＤＭＡ）システム、時分割多元接続（ＴＤＭＡ）システム、周波数分割多元接続（ＦＤＭＡ）システム、Ｅ−ＵＴＲＡを含む３ＧＰＰロングタームエボリューション(Long Term Evolution)（ＬＴＥ）システム、および直交周波数分割多元接続（ＯＦＤＭＡ）システムを含む。
【０００４】
直交周波数分割多重（ＯＦＤＭ）通信システムは、全システム帯域幅を、周波数サブ−チャネル、トーン、または周波数ビンとも呼ばれることのある、マルチプルな（ＮＦ）副搬送波へと効果的に分割する。ＯＦＤＭシステムでは、伝送されるべきデータ（すなわち、複数の情報ビット）は、コード化された複数のビットを生成するために特定のコーディングスキームによって初めにエンコードされ、コード化された複数のビットは、さらに複数のマルチ−ビットシンボルへとグループ化され、次いでそれらは複数の変調シンボルにマップされる。各変調シンボルは、データ伝送に使用される特定の変調スキーム（例えば、Ｍ−ＰＳＫまたはＭ−ＱＡＭ）によって定義される信号点配置(signal constellation)内の点に対応する。各周波数副搬送波の帯域幅によって決まることのある各時間間隔において、変調シンボルは、各ＮＦ周波数副搬送波上で伝送されることができる。したがって、ＯＦＤＭは、該システム帯域幅を横切る異なる複数の量の減衰によって特徴付けられる、周波数選択性フェージングによって引き起こされる符号間干渉(inter-symbol interference)（ＩＳＩ）に対処するために使用されることができる。
【０００５】
一般に、無線マルチプル−アクセス通信システムは、フォワードおよびリバースリンク上の複数の伝送を通じて１つまたは複数の基地局と通信するマルチプルな無線端末のための通信を同時にサポートすることができる。フォワードリンク（またはダウンリンク）は、複数の基地局から複数の端末への通信リンクを指し、リバースリンク（またはアップリンク）は、複数の端末から複数の基地局への通信リンクを指す。この通信リンクは、シングル−イン−シングル−アウト(single-in-single-out)、マルチプル−イン−シングル−アウト(multiple-in-single-out)、またはマルチプル−イン−マルチプル−アウト(multiple-in-multiple-out)（ＭＩＭＯ）システムを通じて確立されることができる。
【０００６】
ＭＩＭＯシステムは、データ伝送のためにマルチプルな（ＮＲ）受信アンテナおよびマルチプルな（ＮＴ）送信アンテナを使用する。ＮＴ送信およびＮＲ受信アンテナによって形成されるＭＩＭＯチャネルは、空間チャネルとも呼ばれる、複数のＮＳ独立チャネル(NS independent channels)へと分解されることができ、ここで、ＮＳ≦ｍｉｎ｛ＮＴ，ＮＲ｝である。一般に、複数のＮＳ独立チャネルのそれぞれは、次元に対応する。ＭＩＭＯシステムは、マルチプルな送信および受信アンテナによって作り出される追加の複数の次元数(dimensionalities)が利用される場合、改善された性能（例えば、より高いスループットおよび／またはより大きな信頼性）を提供することができる。ＭＩＭＯシステムは、また、時分割複信(time division duplex)（ＴＤＤ）および周波数分割複信(frequency division duplex)（ＦＤＤ）システムをサポートする。ＴＤＤシステムでは、相互原理(reciprocity principle)がリバースリンクチャネルからフォワードリンクチャネルの推定を可能にするように、フォワードおよびリバースリンク伝送は、同じ周波数領域上にある。これは、マルチプルなアンテナがアクセスポイントにおいて利用可能であるときに、アクセスポイントがフォワードリンク上で伝送ビーム−フォーミングゲインを抽出(extract)できるようにする。
【０００７】
１つの共通の通信アプリケーションは、複数の基地局がマルチプルなユーザ機器または複数のデバイスへとデータを通信するための要件を伴っており、該複数のデバイスは、複数のメッセージをデコードし、オーバーヘッドを処理するための、限られたリソースを有する。通常、メッセージデータとともに制御情報を有するサブフレームが伝送される。各デバイスをユニークに識別できる異常に長い複数のサブフレームを送り出さなければならないことを避けるために、複数のデバイスのサブセットが基地局との通信のために該スペースを使用できる、サーチスペースが指定される。該サーチスペース内の衝突を避けるために、複数のデバイスは、巡回冗長検査(cyclic redundancy checks)（ＣＲＣ）などの他のエンコーディングとともに該スペース内で互いにオフセットされ、順序正しい通信が進行することができる。１つのアプリケーション要件は、基地局が、ダウンリンクチャネルを横切って複数のデバイスへとデータを伝送可能であることである。同期のために利用される限られた数の制御ビットおよび現在の通信プロトコルでは、他のタイプの制御操作が必要となる場合にプロトコルに追加の複数のビットを追加することは、実現可能ではない。
【発明の概要】
【０００８】
以下は、主張される主題のいくつかの態様の基本的な理解をもたらすために、簡略化された概要を提示する。この概要は、広範な概観ではなく、また、重要な／クリティカルな諸要素を特定しようとする、または主張される主題の範囲を記述しようとするものではない。その唯一の目的は、後で提示される、より詳細な説明への前置きとして、簡略化された形態でいくつかの概念を提示することである。
【０００９】
複数の制御メッセージをシグナリングするために追加の複数のビットを使用することなしに複数の基地局と複数のデバイスとの間でそのような複数の制御メッセージを生成するための、複数のシステムおよび複数の方法が提供される。一態様では、ユニキャストメッセージなどの第１のメッセージプロトコルは、共通のブロードキャストプロトコルなどの第２のプロトコルのコンテキストまたはフレームワーク内にカプセル化される。ユニキャストメッセージは、複数の共通のブロードキャストメッセージに関して一般にリザーブされたデバイスまたはユーザ機器(user equipment)（ＵＥ）上のサーチスペースへと送られる。ユニキャストまたはＵＥ固有のメッセージをデバイスの共通のスペースに向けることによって、これは、実質的にいずれの所望の操作も実行するための該デバイスに関する制御信号の役割を果たす。１つの例では、該デバイスは、共通のサーチスペース内にユニキャストメッセージを感知するときには、基地局との再同期操作を実行する。再同期後、データは、ダウンリンクチャネル上で該デバイスへと伝送されることができる。類似の態様では、第２のプロトコルは、第１のプロトコルを包む(wrap)ことができる。例えば、ユニキャストプロトコルは、共通のブロードキャストメッセージを輸送するために使用されることができる。したがって、例えばブロードキャストメッセージとして通常は用いられ、共通のサーチスペース内で送られるメッセージフォーマットが、ＵＥ固有のサーチスペース内でユニキャストメッセージとして送られる、したがってバーチャルな新しいユニキャストメッセージタイプを作り出す、複数のシステム及び複数の方法が提供される。前述のように、このプロセスは、また、逆方向で提供されることもでき、その場合、ユニキャストメッセージとして通常は用いられ、ＵＥ固有のサーチスペース内で送られるメッセージフォーマットは、共通のサーチスペース内でブロードキャストメッセージとして送られ、したがってバーチャルな新しいブロードキャストメッセージタイプを作り出す。いずれの態様においても、複数の制御メッセージのセットは、既存の複数のメッセージサイズを増大させることなしに拡張されることができる。
【００１０】
前述の、および関連した複数の目的の達成のために、実例となる特定の諸態様を、以下の説明および添付の諸図面に関連して、ここにおいて説明する。ただし、これらの諸態様は、主張される主題の複数の原理が用いられることのできる様々な方法のうちのほんの少数を示しており、主張される主題は、そのようなすべての態様およびそれらの均等物を含むことが意図されている。他の複数の利点および複数の新規特徴は、諸図面と併せて考慮されたときに以下の詳細な説明から明らかになる。
【図面の簡単な説明】
【００１１】
【図１】図１は、無線システムの複数のノード間の制御およびシグナリングを促進するために複数のカプセル化プロトコルを用いるシステムのハイレベルブロック図である。
【図２】図２は、メッセージシグナリングのためのカプセル化された複数のプロトコルの通信を示す信号図である。
【図３】図３は、無線通信のためのダウンリンクフォーマット例を示す図である。
【図４】図４は、ダウンリンクデータ到着のためのＰＤＣＣＨフォーマット例を示す図である。
【図５】図５は、制御をシグナリングするためにカプセル化プロトコルを使用する無線通信方法を示す図である。
【図６】図６は、無線プロトコルのための論理モジュール例を示す図である。
【図７】図７は、代替的な無線プロトコルのための論理モジュール例を示す図である。
【図８】図８は、カプセル化された無線プロトコルを使用する通信装置例を示す図である。
【図９】図９は、マルチプルアクセス無線通信システムを示す図である。
【図１０】図１０は、通信システム例を示す図である。
【図１１】図１１は、通信システム例を示す図である。
【詳細な説明】
【００１２】
複数の制御メッセージをシグナリングするために追加の複数のビットを割り当てることなしにそのような複数の制御メッセージを生成するための、複数のシステムおよび複数の方法が提供される。一態様では、複数の無線通信のための複数のメッセージを生成するための方法が提供される。該方法は、第１のメッセージプロトコルを第２のメッセージプロトコルのフレームワーク内にカプセル化することと、該第１のメッセージプロトコルおよび該第２のメッセージプロトコルからメッセージを生成することと、を含む。該方法は、第２のメッセージプロトコルに関して指定された割り当てスペースへと第１のメッセージプロトコルを伝送する。一態様では、第１のメッセージプロトコルは、ユーザ機器固有のサーチスペースと関連付けられ、第２のメッセージプロトコルは、共通のサーチスペースと関連付けられる。他の態様では、第１のメッセージプロトコルは、共通のサーチスペースと関連付けられ、第２のメッセージプロトコルは、ユーザ機器固有のサーチスペースと関連付けられる。
【００１３】
ここで図１を参照すると、複数のカプセル化プロトコルは、無線システム１００の複数のノード間の制御およびシグナリングを促進するために使用される。該システム１００は、無線ネットワーク１１０を通じて第２のデバイス１３０（または複数のデバイス）へと通信可能なエンティティであることのできる、１つまたは複数の基地局１２０（ノード、次世代型ノードＢ(evolved node B)−ｅＮＢとも呼ばれる）を含む。例えば、各デバイス１３０は、アクセス端末（端末、ユーザ機器、モビリティ管理エンティティ(mobility management entity)（ＭＭＥ）、またはモバイルデバイスとも呼ばれる）であることもできる。該基地局１２０は、ダウンリンク１４０を通じて該デバイス１３０に通信し、アップリンク１５０を通じてデータを受け取る。アップリンクおよびダウンリンクとしてのそのような指定は、該デバイス１３０がまた、ダウンリンクを通じてデータを送信し、複数のアップリンクチャネルを通じてデータを受信することもできるので、任意(arbitrary)である。２つのコンポーネント１２０および１３０が示されているが、２つよりも多くのコンポーネントが該ネットワーク１１０上で使用されることができ、そのような追加の複数のコンポーネントは、また、ここにおいて記載される複数のカプセル化プロトコルに関して適合されることができることに留意する。一態様では、第１のメッセージプロトコル１６０は、第２のメッセージプロトコル１７０をカプセル化または輸送し、既存の複数のメッセージサイズを増大させる必要なしに該デバイスへのシグナリングまたは制御を促進するために該デバイス１３０へと送られる。他の態様では、１８０のところに示された第２のメッセージプロトコルは、１９０のところに示された第１のメッセージプロトコルをカプセル化または輸送するために使用されることができる。２つの程度またはレベルのカプセル化だけがそれぞれ１６０および１８０のところに描かれているが、ネスト化された複数のレベルの複数の通信プロトコルがまた生成されることができることを理解すべきである。
【００１４】
一般に、複数の制御メッセージをシグナリングするために追加の複数のビットを使用することなしに基地局１２０および１３０デバイス間でそのような複数の制御メッセージを生成するための、複数の方法が提供される。一態様では、ユニキャストメッセージなどの第１のメッセージプロトコル１６０は、共通のブロードキャストプロトコルなどの第２のプロトコル１７０のコンテキストまたはフレームワーク内にカプセル化される。ユニキャストメッセージ１６０は、複数の共通のブロードキャストメッセージに関して一般にリザーブされたデバイス１３０またはユーザ機器（ＵＥ）へとサーチスペース内で送られる。ユニキャストまたはＵＥ固有のメッセージ１６０をデバイス１３０の共通のスペースに向けることによって、これは、実質的にいずれの所望の操作も実行するための該デバイスに関する制御信号の役割を果たす。１つの例では、該デバイスは、共通のサーチスペース内にユニキャストメッセージを感知するときには、基地局１２０との再同期操作を実行する。再同期後、データ（例えば、オーディオ、ビデオ、ファイル、イメージなど）は、ダウンリンクチャネル１４０上でデバイス１３０へと伝送されることができる。
【００１５】
類似の態様では、第２のプロトコル１８０は、第１のプロトコル１９０を包むことができる。例えば、ユニキャストプロトコルは、共通のブロードキャストメッセージを輸送するために使用されることができる。したがって、例えばブロードキャストメッセージとして通常は用いられ、共通のサーチスペース内で送られるメッセージフォーマットが、ＵＥ固有のサーチスペース内でユニキャストメッセージとして送られる、したがってバーチャルな新しいユニキャストメッセージタイプを作り出す、複数のシステム及び複数の方法が提供される。前述のように、このプロセスは、また、逆方向で提供されることもでき、その場合、ユニキャストメッセージとして通常は用いられ、ＵＥ固有のサーチスペース内で送られるメッセージフォーマットは、共通のサーチスペース内でブロードキャストメッセージとして送られ、したがってバーチャルな新しいブロードキャストメッセージタイプを作り出す。いずれの態様においても、複数の制御メッセージの通常のセットは、既存の複数のメッセージサイズを増大させることなしに拡張されることができる。
【００１６】
一般に、無線通信のための複数のメッセージを生成するための、複数の広範な方法が提供される。これは、第１のメッセージプロトコルを第２のメッセージプロトコルのフレームワーク内にカプセル化することと、第１のメッセージプロトコルおよび第２のメッセージプロトコルから（１つまたは複数の）メッセージを生成することと、を含む。該方法は、また、第２のメッセージプロトコルに関して指定された割り当てスペースへと第１のメッセージプロトコルを伝送することを含む。第１のメッセージプロトコル１６０または１９０は、ユーザ機器固有のサーチスペースと関連付けられることができ、第２のメッセージプロトコル１７０または１８０は、共通のサーチスペースと関連付けられることができる。他の態様では、第１のメッセージプロトコル１６０または１９０は、共通のサーチスペースと関連付けられることができ、第２のメッセージプロトコル１７０または１８０は、ユーザ機器固有のサーチスペースと関連付けられることができる。
【００１７】
複数のメッセージは、第１および第２のプロトコルから生成されることができ、該メッセージは、信号として追加のビットを使用することなしに基地局１２０とユーザ機器またはデバイス１３０との間で操作をシグナリングするために使用される。１つの特定の例では、実質的にいずれのタイプの制御が指定されることもできるが、操作は、基地局１２０とユーザ機器１３０との間の再同期であることができる。該メッセージは、物理ダウンリンク制御チャネル(Physical Downlink Control Channel)（ＰＤＣＣＨ）プロトコルの一部として伝送されることができ、また、該ダウンリンクデータが基地局１２０からユーザ機器１３０へと送られる準備のできた状態にあることを示すために、生成されることができる。いくつかの例では、該メッセージは、周波数分割複信(frequency division duplex)（ＦＤＤ）および時分割複信(time division duplex)（ＴＤＤ）のための割り当てられた時間ロケーションおよびアクセスプリアンブルを含むことができる。これは、また、ＴＤＤのための割り当てられた周波数ロケーションを含むことができる。また、該メッセージは、初期伝送電力に対する割り当てられたオフセットを含むことができる。該複数の方法は、複数のそれぞれのメッセージによってコンテンションフリーアクセスまたはコンテンション−ベースのランダムアクセスを実行することができる。さらに、該メッセージは、追加の処理のための１つ以上のリソースブロックおよびブロードキャスト制御チャネルフィールドを含むことができる。該メッセージは、他の複数のフィールドに加えて、ページングフィールドおよびランダムアクセスチャネルフィールドを含むことができる。
【００１８】
システム１００が、アクセス端末またはモバイルデバイスとともに使用されることができ、また、例えば、ＳＤカード、ネットワークカード、無線ネットワークカード、コンピュータ（ラップトップ、デスクトップ、携帯情報端末(personal digital assistants)（ＰＤＡ）を含む）、携帯電話、スマートフォン、または、ネットワークにアクセスするために利用されることのできる他のいずれかの適切な端末であることができることに留意する。端末は、アクセスコンポーネント（図示せず）を通じてネットワークにアクセスする。１つの例では、端末と複数のアクセスコンポーネントとの間の接続は、無線の性質であることができ、その際、複数のアクセスコンポーネントは、基地局であることができ、モバイルデバイスは、無線端末である。例えば、該端末および複数の基地局は、時分割多元接続（ＴＤＭＡ）、符号分割多元接続（ＣＤＭＡ）、周波数分割多元接続（ＦＤＭＡ）、直交周波数分割多重（ＯＦＤＭ）、ＦＬＡＳＨ  ＯＦＤＭ、直交周波数分割多元接続（ＯＦＤＭＡ）、または他のいずれかの適切なプロトコルを含むがこれらに限定されない、いずれかの適切な無線プロトコルを通じて通信することができる。
【００１９】
複数のアクセスコンポーネントは、有線ネットワークまたは無線ネットワークと関連付けられたアクセスノードであることができる。その目的で、アクセスコンポーネントは、例えば、ルータやスイッチなどであることができる。アクセスコンポーネントは、他の複数のネットワークノードと通信する、１つまたは複数のインターフェース、例えば、複数の通信モジュールを含むことができる。さらに、アクセスコンポーネントは、セルラータイプのネットワーク内の基地局（または無線アクセスポイント）であることができ、複数の基地局（または複数の無線アクセスポイント）は、複数の加入者に複数の無線サービスエリア(wireless coverage areas)を提供するために利用される。そのような複数の基地局（または複数の無線アクセスポイント）は、１つ以上の携帯電話および／または他の無線端末に、隣接する複数のサービスエリアを提供するように、配置されることができる。
【００２０】
図２を見ると、システム２００は、メッセージシグナリングのためのカプセル化された複数のプロトコルの通信を示す。示されるように、基地局２１０は、ユーザ機器（ＵＥ）固有のメッセージ２３０または共通のブロードキャストメッセージ２４０を通じてユーザ機器２２０と通信する。ユーザ機器２２０は、セグメント化されており、２つの部分が、共通のブロードキャストサーチスペース２５０およびＵＥ固有のサーチスペース２６０として示されている。ＵＥ固有の複数のメッセージ２３０が、共通の複数のブロードキャストメッセージに関して通常指定されるサーチスペース２５０へとどのようにクロス−カップルされるか(cross-coupled)に、留意する。同様に、共通の複数のブロードキャストメッセージ２４０は、ＵＥ固有のスペース２６０へとクロス−カップルされることができる。この方式でメッセージを結合(coupling)することによって、基地局２１０が、指定された操作を実行するようにユーザ機器２２０にシグナリングすることが可能である。これは、ＵＥ固有のメッセージ２３０または共通のブロードキャストメッセージ２４０のいずれにも追加の複数の制御ビットを追加することなしに達成される。共通のブロードキャストサーチスペース２５０またはＵＥ固有のサーチスペース２６０内に現われる、代替的なメッセージタイプまたはプロトコルの存在は、所与のまたは所定の操作を実行するためのユーザ機器への信号である。前述したように、１つの例では、複数のメッセージのクロス−カップリングは、ＵＥ２２０が基地局２１０との再同期操作を実行するための信号とすることができる。基地局２１０およびＵＥが同期されるときには、データ転送は、望まれる場合、指定されたダウンリンクチャネルを横切って起こることができる。理解できるように、複数のメッセージおよびサーチスペースのクロス−カップリングによってそれぞれトリガされる、複数の異なる操作が定義されることができる。
【００２１】
ＵＥ固有のサーチスペースおよび共通のサーチスペースは、常に異なったもの(distinct)ではない場合がある。利用可能な制御チャネルリソースを効果的に利用するために、ＵＥ固有のサーチスペースは、時間変動する偽似ランダムな方法で、利用可能な全制御リソーススペースの異なるセグメントにおいて再び割り当てられることができる。そのようなランダム化の実装によっては、時には、ＵＥ固有のサーチスペースおよび共通のサーチスペースの部分的または完全なオーバーラップが発生しうる。適切な設計によって、それらの複数のオーバーラップの発生の頻度は、制限されることができる。ＵＥ固有の複数のメッセージタイプおよび共通の複数のブロードキャストメッセージタイプが、使用されるＣＲＣスクランブリングのタイプによって識別可能であるので、該複数のサーチスペースオーバーラップは、通常、メッセージタイプの混乱を引き起こさない。ただし、これは、同じＣＲＣスクランブリングが異なる２つのメッセージタイプに使用されるとき、また、クロス−カップリング、例えば、サーチスペース２５０へとクロス−カップルされたＵＥ固有のメッセージ２３０、またはＵＥ固有のスペース２６０へとクロス−カップルされた共通のブロードキャストメッセージ２４０が、複数のメッセージタイプを区別するために使用されるときには、当てはまらない。これらの場合には、ＵＥ固有のサーチスペースおよび共通のサーチスペースのオーバーラップは、メッセージタイプ不明瞭を引き起こす可能性がある。これらの条件の発生は、基地局１２０にはよく知られており、したがって、該基地局は、メッセージ不明瞭をプリエンプト(preempt)するために、サーチスペースのオーバーラップが発生するときにはクロス−カップルされた複数のメッセージを送るのをやめることができる。生じるコストは、不定期の(occasional)数ミリ秒のメッセージング遅延となることがある。ＵＥ固有のサーチスペースが集約レベル依存性であるので、クロス−カップルされたメッセージを遅延させる必要は、適切な制御集約レベルおよび制御チャネル要素(control channel element)（ＣＣＥ）開始位置を適応的に選択することによって低減されることができ、したがって、しばしば、完全なオーバーラップが起こらない集約レベルを見つけることが可能である。
【００２２】
図３を参照すると、無線通信のためのダウンリンクフォーマットパケット例３００が示されている。インターネット上で容易に利用可能な様々な仕様やその他のものは、ＵＥがタイミング同期をもたないときにランダムアクセスプロシージャを実行するようにＵＥをトリガするために物理データ制御チャネル（ＰＤＣＣＨ）を指定する３ＧＰＰ  ＲＡＮ２によって指定されるような複数のフォーマットを提供し、このシナリオは、また、「ダウンリンク（ＤＬ）データ到着」とも呼ばれる。簡潔にするために、明細書の最後に定義される様々な頭字語が、図３および図４の説明に関して使用される。ＤＬの１つのアスペクトは、どのＰＤＣＣＨフォーマットを使用すべきかである。フォーマット１、１Ａ、１Ｂ、１Ｃ、２、３、３Ａを含む様々なＰＤＣＣＨフォーマットは、容易に利用可能なＲＡＮ１によって定義され、その際、一部のフォーマットは、システム帯域幅に依存するサイズを有するが、他のフォーマットは、有さない。
【００２３】
特定のフォーマットでは、１Ｃのサイズは、すべてのシステム帯域幅について固定される。ＤＬデータ到着の場合、以下を含めた様々な情報がＰＤＣＣＨによってＵＥへと運ばれることになる：
３１０における、オプションで割り当てられた専用アクセスプリアンブル（６ビット）
３２０における、オプションで割り当てられた、ＴＤＤおよびＦＤＤに関する時間ロケーション（２ビット）
３３０における、オプションで割り当てられた、ＴＤＤに関する周波数ロケーション（ｘビット）
３４０における、オプションで割り当てられた、初期伝送電力に対するオフセット（３ビット）
前述のデータが示されるときには、ＵＥは、コンテンションフリーアクセスを実行し、そうではない場合、それは、コンテンション−ベースのランダムアクセスを実行する。フォーマット１Ｃ（以下で図４において説明する）は、上記情報を運ぶために選択される。一般に、フォーマット１Ｃは、ページングチャネル、ブロードキャストチャネル、システム情報変更チャネル、およびランダムアクセス応答チャネルを含むトランスポートチャネルを運ぶ、ＰＤＳＣＨ上の複数のダウンリンク伝送を示すように設計される。該トランスポートチャネルは、ＰＤＣＣＨのＣＲＣ上でそのＩＤ（ＲＮＴＩ）をマスクすることによって示される。それぞれ、ＰＩ−ＲＮＴＩ、ＳＩ−ＲＮＴＩ、ＳＣ−ＲＮＴＩおよびＲＡ−ＲＮＴＩが使用されることができる。
【００２４】
ＰＤＣＣＨフォーマット１Ｃにおいて公称上利用可能な複数のフィールドは、ダウンリンク共有チャネル伝送をシグナリングするために使用され、ＤＬデータ到着に関してはそれほど有用ではないことがある。代わりに、以上で言及された複数のフィールドが示される（アクセスプリアンブル、時間および周波数ロケーション、電力オフセット）。したがって、フォーマット１Ｃは、１つはＤＬデータ到着に関する、１つはＰＤＳＣＨ伝送を示すための、複数のフィールドの２つのセットを含むことができる。
【００２５】
１つの態様は、フィールドのいずれのセットがＰＤＣＣＨフォーマットに含まれるかを識別するためにＣＲＣ上にマスクされたＩＤに頼ることを含む：
ＵＥ  ＩＥ（Ｃ−ＲＮＴＩ）がＣＲＣ上にマスクされる場合、ＰＤＣＣＨは、ＤＬデータ到着を示し、
ＰＩ−ＲＮＴＩ、ＳＩ−ＲＮＴＩ、ＳＣ−ＲＮＴＩおよびＲＡ−ＲＮＴＩがＣＲＣ上にマスクされる場合、ＰＤＣＣＨは、ＰＤＳＣＨ伝送を示す。
【００２６】
ＰＤＣＣＨサーチスペースは、共通およびＵＥ固有へと分割されることができる。フォーマット１Ｃは、現在、共通スペースにおいて利用可能である。ＰＤＣＣＨスケジューリングのフレキシビリティを高めるために、同様にＵＥ固有のサーチスペース内にもフォーマット１Ｃを含めることが有益である。ただし、それは、サーチスペースのサイズを、したがって、ＰＤＣＣＨ処理に関するＵＥの複雑さ（complexity）を増大させる可能性がある。ＵＥ固有のサーチスペース内のフォーマット１Ｃは、ＵＥが同期していない（したがって、ＤＬデータ到着シナリオが発生しうる）場合、使用されることができる。ＵＥが同期しているときには、普通のＰＤＳＣＨまたはＰＵＳＣＨ伝送が発生することができる。
【００２７】
ＵＥが同期しているときには、それは、ＵＥ固有のサーチスペース内でフォーマット１Ｃを探す必要はない。ＵＥが同期していないときには、それは、この例ではＵＥ固有のサーチスペース内でフォーマット１Ｃを探すことができる。一般に、タイミングアドバンスタイマー(Timing Advance Timer)（ＴＡＴ）が走っているときには、ＵＥは、それ自体を時刻同期されたものとみなす。ＴＡＴは、タイミングアドバンスコマンド(Timing Advance Command)（ＴＡＣ）が受け取られたときには、再始動される。ＴＡＣが失われることがあるので、ｅＮｂはＵＥを同期しているとみなすことがあり、一方で、ＵＥはそれ自体を同期していないとみなすことがある。その場合、ＵＥは、ＵＥ固有のサーチスペース内でフォーマット１Ｃを探し、ＰＵＳＣＨまたはＰＤＳＣＨ伝送を示すＰＤＣＣＨを探しそこなう(miss)ことがある。代わりに、ＵＥは、特定のＵＥに対して「同期していないとみなされる」と示すためにｅＮＢに関する信号を導入することによって、それ自体を同期していないと判断することができる。そのようなシグナリングが信頼できるものにされる場合、ＵＥおよびｅＮＢは、時刻同期に対して同じビュー(view)を有しており、また、該ＵＥがタイミング同期に基づいてそのＰＤＣＣＨサーチスペースを適合させることが安全である。
【００２８】
図４を参照すると、ＰＤＣＣＨフォーマットパケット１Ｃの一例４００が、ダウンリンクデータ到着に関して示されている。ＢＣＣＨ、ＲＡＣＨ応答およびページングの伝送のためのＰＤＣＣＨフォーマット１Ｃは、下記を含むことができる：
関連したＰＤＳＣＨ伝送におけるＱＰＳＫの使用
コンテンツ
１６ビットＲＮＴＩ／ＣＲＣ
３ビットＭＣＳ
５ビットＲＢ割り当て
２ビットＲＳＮ
データフォーマット４００は、ブロードキャストチャネル（ＢＣＣＨ）を含むことができる。ＢＣＣＨでは、最も小さなサイズは、通常、ＳＩ−１について２５０〜３５０ビットとなる。提案される最大サイズは、約１２００ビットである。さらに、ＥＴＷＳの取り扱いにおいては、ペイロードサイズは、最大９８４０ビットまでであり、ＲＲＣ＿Ｉｄｌｅに適用される。システム情報のサイズは、オプションの複数の情報要素によって異なる。既存のトランスポートブロックサイズ（ＴＢＳ）定義を利用するために、ＢＣＣＨ上でサポートされるべきＴＢＳが、既に定義されたＴＢＳテーブルから選択されることが有益である。３ビットＭＣＳフィールドは、次のＴＢＳを示す：ＴＢＳ＝｛２６４、３９２、５２０、６４８、７７６、９０４、１０３２、１２２４｝。示されるように、様々なリソースブロックは、ＢＣＣＨおよび後述する他の複数の構造をサポートするフォーマット４００で提供されることができる。
【００２９】
データフォーマット４００は、また、ＲＡＣＨ応答フィールドを含むことができる。ランダムアクセスプリアンブルに関するＭＡＣランダムアクセス応答のサイズは、７バイト（５６ビット）であり、１つのＲＡＣＨ応答メッセージは、最大８〜１６個のＭＡＣランダムアクセス応答をサポートすべきである。１バイトのバック−オフ表示は、任意に存在してもよい。バック−オフ表示が頻繁には伝送されないので、ＴＢＳは、７バイトの倍数に基づくことができる。バック−オフ表示が伝送されるときには、パディング(padding)が実行されることができる。
【００３０】
ＲＡＣＨ応答メッセージ当たりのＭＡＣランダムアクセス応答の数に関しては、高いＲＡＣＨ利用の場合、より多くの数のＭＡＣランダムアクセス応答をサポートすることが有益であるが、これは、より多くの数のシグナリングビットまたはより多くのパディングロスを引き起こす可能性がある。他方、より少ない数のＭＡＣランダムアクセス応答をサポートすることは、ＰＤＣＣＨの数の増加を引き起こす可能性がある。最大８個までのＭＡＣランダムアクセス応答は、シグナリングオーバーヘッドとパディングロスとの間の適切なトレードオフとしてサポートされることができる。異なるサブフレームからの複数のランダムアクセスプリアンブルが時間ウィンドウ内の単一のサブフレーム内で伝送されるのに応答して、マルチプルなＲＡＣＨ応答メッセージが発生しうることに留意する。この場合、８個を超えるＭＡＣランダムアクセス応答は、マルチプルなＰＤＣＣＨを用いて示されることができる。したがって、１〜８個のＭＡＣランダムアクセス応答を示す３ビットＭＣＳフィールドが提供されることができる（バック−オフ表示が伝送されるときには０〜７個）。ＴＢＳサイズは、次の通りである：ＴＢＳ＝｛５６、１１２、１６８、２２４、２８０、３３６、３９２、４４８｝。ＭＡＣランダムアクセス応答のサイズが変化しないので、複数のＴＢＳ値は、不必要なパディングを避けるように定義されるべきである（バック−オフ表示を追加することを除く）。提案される複数の値は、利用可能な二次置換多項式(Quadratic Permutation Polynomial)（ＱＰＰ）インター−リーバーサイズ(inter-leaver sizes)でアラインされる。
【００３１】
他の態様では、データパケット４００は、複数のページングチャネルを含むことができる。以下の複数のメッセージサイズ例が使用されることができる：
【表１】
0005394473.tif 000002
【００３２】
ＵＥ当たりのビットの総数は、ＵＥ−ＩＤタイプ（Ｓ−ＴＭＳＩまたはＩＭＳＩ）に応じて５０〜７０となりえる。ページングメッセージのサイズが変わるので、同様の複数のＴＢＳ値は、ＵＥの複雑さを最小限に抑えるためにＲＡＣＨ応答メッセージに対して使用されることができる。ＴＢＳサイズは、次の通りである：ＴＢＳ＝｛５６、１１２、１６８、２２４、２８０、３３６、３９２、４４８｝。
【００３３】
ここで図５を参照すると、無線通信方法５００が示されている。説明を簡潔にする目的で、該方法（および、ここに記載されている他の複数の方法）は、一連の行為として示され記載されているが、１つ以上の実施形態によれば、一部の行為がここに示され記載されたものとは異なる順序でおよび／または他の複数の行為と同時に起こることができるので、該複数の方法が複数の行為の該順序によって制限されないことが、理解され認識されるべきである。例えば、ある方法が、状態図におけるように、相互に関連した一連の複数の状態またはイベントとして代替的に表されることができることを、当業者は、理解し、認識するだろう。さらに、説明されるすべての行為が、主張される主題にしたがって方法を実装するために利用されるわけではない。
【００３４】
５１０に進むと、複数のＵＥ固有のメッセージは、定義され、共通のブロードキャストサーチスペースに関して指定される。前述したように、ＵＥメッセージは、共通のブロードキャストプロトコルによって輸送され、および／またはカプセル化されることができる。５２０において、代替的なアスペクトは、それに従って共通のブロードキャストメッセージを定義し、そのような複数のメッセージをＵＥ固有のサーチスペースに関して指定する。
【００３５】
５３０において、ＵＥ固有のメッセージは、ＵＥの共通のブロードキャストサーチスペースへと伝送される。代替的に、５４０において、共通のブロードキャストメッセージは、ＵＥのＵＥ固有のサーチスペースへと伝送されることもできる。５５０において、クロス−カップルメッセージ(a cross-couple message)、例えば、ＵＥメッセージが共通スペースへと、または共通メッセージがＵＥ固有のスペースへと、受信される場合、ＵＥは、所望の操作または他のルーチンが実行されるべきであることを警告されることができる。１つの例では、ＵＥは、基地局と再同期すべきであることを決定することができる。再同期後、ＵＥは、利用可能な複数のダウンリンクチャネルおよび複数のプロトコルを通じてデータを受け取ることができる。
【００３６】
ここに記載された複数の技術は、様々な手段によって実装されることができる。例えば、これらの技術は、ハードウェア、ソフトウェア、またはそれらの組み合わせで実装されることができる。ハードウェア実装の場合、複数の処理ユニットは、１つ以上の特定用途向け集積回路(application specific integrated circuits)（ＡＳＩＣ）、デジタルシグナルプロセッサ(digital signal processors)（ＤＳＰ）、デジタルシグナル処理デバイス(digital signal processing devices)（ＤＳＰＤ）、プログラマブル論理デバイス(programmable logic devices)（ＰＬＤ）、フィールドプログラマブルゲートアレイ(field programmable gate arrays)（ＦＰＧＡ）、プロセッサ、コントローラ、マイクロ−コントローラ、マイクロプロセッサ、ここに記載される機能を実行するように設計された他の電子ユニット、またはこれらの組み合わせの中に実装されることができる。ソフトウェアでは、実装は、ここに記載される機能を実行する複数のモジュール（例えば、プロシージャ、ファンクションなど）によることができる。複数のソフトウェアコードは、メモリユニットに格納され、複数のプロセッサによって実行されることができる。
【００３７】
ここで図６および図７を見ると、無線信号処理に関するシステムが提供される。該複数のシステムは、プロセッサ、ソフトウェア、ハードウェア、ファームウェア、またはそれらのいずれか適切な組み合わせによって実装される複数の機能を表すことのできる、相互に関連した一連の複数の機能ブロックとして表される。
【００３８】
図６を参照すると、無線通信システム６００が提供される。該システム６００は、第１のメッセージプロトコルを第２のメッセージプロトコルのフレームワーク内でフォーマットする手段のための論理モジュール６０２と、第１のメッセージプロトコルから少なくとも１つのメッセージを生成するための論理モジュール６０４とを含む。該システム６００は、また、第２のメッセージプロトコルに関して指定された割り当てスペースへと第１のメッセージプロトコルを伝送するための論理モジュール６０６を含む。
【００３９】
図７を参照すると、無線通信システム７００が提供される。該システム７００は、第１のメッセージプロトコルを第２のメッセージプロトコルのフレームワーク内で処理するための論理モジュール７０２と、第１のメッセージプロトコルまたは第２のメッセージプロトコルから少なくとも１つのメッセージを処理するための論理モジュール７０４とを含む。該システム７００は、また、第２のメッセージプロトコルに関して指定された割り当てスペースにおいて第１のメッセージプロトコルを受け取るための論理モジュール７０６を含む。
【００４０】
図８は、例えば、無線端末など、無線通信装置とすることのできる通信装置８００を示す。追加的にまたは代替的に、通信装置８００は、有線ネットワーク内に存在することもできる。通信装置８００は、無線通信端末において信号解析を実行する複数の命令を保持できるメモリ８０２を含むことができる。さらに、通信装置８００は、メモリ８０２内の複数の命令および／または別のネットワークデバイスから受け取られた複数の命令を実行できるプロセッサ８０４を含むことができ、その際、該複数の命令は、該通信装置８００または関連した通信装置を構成するまたは操作することに関することができる。
【００４１】
図９を参照すると、マルチプルアクセス無線通信システム９００が示されている。マルチプルアクセス無線通信システム９００は、セル９０２、９０４および９０６を含む、マルチプルなセルを含む。該システム９００の態様では、該セル９０２、９０４および９０６は、マルチプルなセクタを含むノードＢを含むことができる。マルチプルなセクタは、各アンテナがセルの一部分においてＵＥとの通信を担う、複数のアンテナの複数のグループによって形成されることができる。例えば、セル９０２では、アンテナグループ９１２、９１４および９１６は、それぞれ異なるセクタに対応することができる。セル９０４では、アンテナグループ９１８、９２０および９２２は、それぞれ異なるセクタに対応する。セル９０６では、アンテナグループ９２４、９２６および９２８は、それぞれ異なるセクタに対応する。セル９０２、９０４および９０６は、各セル９０２、９０４、または９０６の１つ以上のセクタと通信状態にあることができる、いくつかの無線通信デバイス、例えば、ユーザ機器またはＵＥを含むことができる。例えば、ＵＥ９３０および９３２は、ノードＢ９４２と通信状態にあることができ、ＵＥ９３４および９３６は、ノードＢ９４４と通信状態にあることができ、ＵＥ９３８および９４０は、ノードＢ９４６と通信状態にあることができる。
【００４２】
ここで図１０を参照すると、一態様によるマルチプルアクセス無線通信システムが示されている。アクセスポイント１０００（ＡＰ）は、１つは１００４および１００６を含み、別のものは１００８および１０１０を含み、追加のものは１０１２および１０１４を含む、マルチプルなアンテナグループを含む。図１０では、２本のアンテナだけが各アンテナグループについて示されているが、より多数またはより少数のアンテナが各アンテナグループに利用されることができる。アクセス端末１０１６（ＡＴ）は、アンテナ１０１２および１０１４と通信しており、アンテナ１０１２および１０１４は、フォワードリンク１０２０を通じてアクセス端末１０１６へと情報を伝送し、リバースリンク１０１８を通じてアクセス端末１０１６から情報を受信する。アクセス端末１０２２は、アンテナ１００６および１００８と通信しており、アンテナ１００６および１００８は、フォワードリンク１０２６を通じてアクセス端末１０２２へと情報を送信し、リバースリンク１０２４を通じてアクセス端末１０２２から情報を受信する。ＦＤＤシステムでは、通信リンク１０１８、１０２０、１０２４および１０２６は、通信に異なる周波数を使用することができる。例えば、フォワードリンク１０２０は、リバースリンク１０１８によって使用されるのとは異なる周波数を使用することができる。
【００４３】
複数のアンテナの各グループおよび／またはその中でそれらが通信するように設計されたエリアは、しばしば、アクセスポイントのセクタと呼ばれる。複数のアンテナグループは、それぞれ、アクセスポイント１０００によってカバーされた複数のエリアのセクタ内の複数のアクセス端末へと通信するように設計される。フォワードリンク１０２０および１０２６を通じた通信では、アクセスポイント１０００の複数の送信アンテナは、異なるアクセス端末１０１６および１０２２に関する複数のフォワードリンクの信号対雑音比を改善するためにビーム−フォーミングを利用する。また、そのサービスエリア（coverage）内にランダムに散在された複数のアクセス端末へと送信するためにビーム−フォーミングを使用するアクセスポイントは、そのすべてのアクセス端末へと単一のアンテナを通じて送信するアクセスポイントよりも、近隣の複数のセルにおいて複数のアクセス端末へのより小さな干渉を引き起こす。アクセスポイントは、複数の端末と通信するために使用される固定局とすることができ、また、アクセスポイント、ノードＢ、または他の何らかの用語と呼ばれることができる。アクセス端末は、また、アクセス端末、ユーザ機器（ＵＥ）、無線通信デバイス、端末、アクセス端末、または他の何らかの用語とも呼ばれることができる。
【００４４】
図１１を参照すると、システム１１００は、ＭＩＭＯシステム１１００における、送信器システム１１１０（アクセスポイントとしても知られる）、および受信器システム１１５０（アクセス端末としても知られる）を示す。送信器システム１１１０においては、いくつものデータストリームに関するトラフィックデータは、データソース１１１２から送信（ＴＸ）データプロセッサ１１１４へと提供される。各データストリームは、それぞれの送信アンテナを通じて送信される。ＴＸデータプロセッサ１１１４は、コード化されたデータを提供するためにそのデータストリームについて選択された特定のコーディングスキームに基づいて各データストリームに関するトラフィックデータをフォーマットし、コード化し、インターリーブする。
【００４５】
各データストリームに関するコード化されたデータは、複数のＯＦＤＭ技術を使用してパイロットデータとともに多重化されることができる。パイロットデータは、通常、既知の方式で処理される既知のデータパターンであり、チャネル応答を推定するために受信器システムにおいて使用されることができる。各データストリームに関する多重化されたパイロットおよびコード化されたデータは、次いで、複数の変調シンボルを提供するためにそのデータストリームについて選択された特定の変調スキーム（例えば、ＢＰＳＫ、ＱＳＰＫ、Ｍ−ＰＳＫまたはＭ−ＱＡＭ）に基づいて変調される（すなわち、シンボルマップされる）。各データストリームに関するデータレート、コーディングおよび変調は、プロセッサ１１３０によって実行された複数の命令によって決定されることができる。
【００４６】
すべてのデータストリームに関する複数の変調シンボルは、次いで、複数の変調シンボルをさらに処理できる（例えば、ＯＦＤＭに関して）、ＴＸ  ＭＩＭＯプロセッサ１１２０に提供される。ＴＸ  ＭＩＭＯプロセッサ１１２０は、次いで、ＮＴ送信器（ＴＭＴＲ）１１２２ａ〜１１２２ｔへと複数のＮＴ変調シンボルストリームを提供する。特定の諸実施形態では、ＴＸ  ＭＩＭＯプロセッサ１１２０は、シンボルがそこから送信されるアンテナに、および複数のデータストリームの複数のシンボルに、複数のビーム−フォーミング重み(beam-forming weights)を適用する。
【００４７】
各送信器１１２２は、１つまたは複数のアナログ信号を提供するためにそれぞれのシンボルストリームを受信して処理し、ＭＩＭＯチャネルを通じた伝送に適した変調された信号を提供するために該アナログ信号をさらに調整(conditions)する（例えば、増幅する、フィルタする、およびアップ−コンバートする）。送信器１１２２ａ〜１１２２ｔからのＮＴ変調された複数の信号は、次いで、それぞれ、ＮＴアンテナ１１２４ａ〜１１２４ｔから送信される。
【００４８】
受信器システム１１５０においては、伝送された複数の変調された信号は、ＮＲアンテナ１１５２ａ〜１１５２ｒによって受信され、各アンテナ１１５２からの受信された信号は、それぞれの受信器（ＲＣＶＲ）１１５４ａ〜１１５４ｒへと提供される。各受信器１１５４は、受信されたそれぞれの信号を調整（例えば、フィルタ、増幅、およびダウン−コンバート）し、調整された該信号をデジタル化して複数のサンプルを提供し、該複数のサンプルをさらに処理して、対応する「受信された」シンボルストリームを提供する。
【００４９】
ＲＸデータプロセッサ１１６０は、次いで、ＮＴ「検出された」複数のシンボルストリームを提供するために、特定の受信器処理技術に基づいて、複数のＮＲ受信器１１５４からＮＲ受信された複数のシンボルストリームを受信し、処理する。ＲＸデータプロセッサ１１６０は、次いで、データストリームに関してトラフィックデータを回復するために、検出された各シンボルストリームを、復調し、デ−インターリーブ(de-interleaves)し、デコードする。ＲＸデータプロセッサ１１６０による処理は、送信器システム１１１０においてＴＸ  ＭＩＭＯプロセッサ１１２０およびＴＸデータプロセッサ１１１４によって実行される処理と相補的である。
【００５０】
プロセッサ１１７０は、どのプレ−コーディングマトリックスを使用すべきかを定期的に決定する（後述する）。プロセッサ１１７０は、ランク値部分およびマトリックスインデックス部分を含む複数のリバースリンクメッセージを形成(formulates)する。リバースリンクメッセージは、受信されたデータストリームおよび／または通信リンクに関する様々なタイプの情報を含むことができる。リバースリンクメッセージは、次いで、データソース１１３６からいくつものデータストリームに関するトラフィックデータもまた受信する、ＴＸデータプロセッサ１１３８によって処理され、変調器１１８０によって変調され、送信器１１５４ａ〜１１５４ｒによって調整され、送信されて送信器システム１１１０へと戻される。
【００５１】
送信器システム１１１０においては、受信器システム１１５０からの変調された複数の信号は、複数のアンテナ１１２４によって受信され、複数の受信器１１２２によって調整され、復調器１１４０によって復調され、受信器システム１１５０によって送信されたリザーブリンクメッセージを抽出するためにＲＸデータプロセッサ１１４２によって処理される。プロセッサ１１３０は、次いで、ビーム−フォーミング重みを決定するためにどのプレ−コーディングマトリックスを使用すべきかを決定し、次いで、抽出されたメッセージを処理する。
【００５２】
一態様では、複数の論理チャネルは、複数の制御チャネルおよび複数のトラフィックチャネルに分類される。複数の論理制御チャネルは、システム制御情報をブロードキャストするＤＬチャネルであるブロードキャスト制御チャネル（ＢＣＣＨ）を含む。ページング制御チャネル（ＰＣＣＨ）は、ページング情報を転送するＤＬチャネルである。マルチキャスト制御チャネル（ＭＣＣＨ）は、１つまたはいくつかのＭＴＣＨに関する制御情報ならびにマルチメディアブロードキャストおよびマルチキャストサービス(Multimedia Broadcast and Multicast Service)（ＭＢＭＳ）スケジューリングを伝送するために使用されるポイント−ツー−マルチポイント(Point-to-multipoint)ＤＬチャネルである。一般に、ＲＲＣ接続を確立した後、このチャネルは、ＭＢＭＳ（注：古いＭＣＣＨ＋ＭＳＣＨ）を受信する複数のＵＥによって使用されるだけである。専用制御チャネル(Dedicated Control Channel)（ＤＣＣＨ）は、専用の制御情報を伝送するポイント−ツー−ポイントの双方向チャネルであり、ＲＲＣ接続を有する複数のＵＥによって使用される。複数の論理トラフィックチャネルは、ユーザ情報の転送のための、１つのＵＥに専用の、ポイント−ツー−ポイントの双方向チャネルである専用トラフィックチャネル(Dedicated Traffic Channel)（ＤＴＣＨ）を含む。最後に、マルチキャストトラフィックチャネル(Multicast Traffic Channel)（ＭＴＣＨ）は、トラフィックデータを伝送するポイント−ツー−マルチポイントＤＬチャネルである。
【００５３】
複数のトランスポートチャネルは、ＤＬおよびＵＬに分類される。複数のＤＬトランスポートチャネルは、ブロードキャストチャネル（ＢＣＨ）、ダウンリンク共有データチャネル（ＤＬ−ＳＤＣＨ）およびページングチャネル（ＰＣＨ）を含んでおり、ＵＥ省電力のサポートのための該ＰＣＨ（ＤＲＸサイクルはＵＥへのネットワークによって示される）は、セル全体にわたってブロードキャストされ、他の複数の制御／トラフィックチャネルに使用されることのできる複数のＰＨＹリソースにマップされる。複数のＵＬトランスポートチャネルは、ランダムアクセスチャネル（ＲＡＣＨ）、リクエストチャネル（ＲＥＱＣＨ）、アップリンク共有データチャネル（ＵＬ−ＳＤＣＨ）および複数のＰＨＹチャネルを含む。複数のＰＨＹチャネルは、複数のＵＬチャネルおよび複数のＤＬチャネルのセットを含む。
【００５４】
複数のＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、肯定応答チャネル(Acknowledgement Channel)（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）および負荷インジケータチャネル（ＬＩＣＨ）を例えば含む。
【００５５】
複数のＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有リクエストチャネル（ＳＲＥＱＣＨ）、ＵＬ物理共有データチャネル（ＵＬ−ＰＳＤＣＨ）、およびブロードキャストパイロットチャネル（ＢＰＩＣＨ）を例えば含む。
【００５６】
他の複数の用語／複数のコンポーネントには、３Ｇ  第３世代、３ＧＰＰ  第３世代パートナーシッププロジェクト、ＡＣＬＲ  隣接チャネル漏洩比(Adjacent channel leakage ratio)、ＡＣＰＲ  隣接チャネル電力比、ＡＣＳ  隣接チャネル選択性、ＡＤＳ  高度設計システム(Advanced Design System)、ＡＭＣ  適応変調符号化(Adaptive modulation and coding)、Ａ−ＭＰＲ  追加最大電力低減(Additional maximum power reduction)、ＡＲＱ  自動再送要求、ＢＣＣＨ  ブロードキャスト制御チャネル、ＢＴＳ  無線基地局(Base transceiver station)、ＣＤＤ  巡回遅延ダイバーシティ、ＣＣＤＦ  相補累積分布関数、ＣＤＭＡ  符号分割多元接続、ＣＦＩ  制御フォーマットインジケータ、Ｃｏ−ＭＩＭＯ  協力的ＭＩＭＯ(Cooperative MIMO)、ＣＰ  サイクリックプレフィックス、ＣＰＩＣＨ  共通パイロットチャネル、ＣＰＲＩ  共通公衆無線インターフェース、ＣＱＩ  チャネル品質インジケータ、ＣＲＣ  巡回冗長検査、ＤＣＩ  ダウンリンク制御インジケータ、ＤＦＴ  離散フーリエ変換、ＤＦＴ−ＳＯＦＤＭ  離散フーリエ変換拡散ＯＦＤＭ、ＤＬ  ダウンリンク（基地局から加入者への伝送）、ＤＬ−ＳＣＨ  ダウンリンク共有チャネル、Ｄ−ＰＨＹ  ５００Ｍｂｐｓ物理層、ＤＳＰ  デジタル信号処理、ＤＴ  開発ツールセット、ＤＶＳＡ  デジタルベクトル信号解析、ＥＤＡ  電子設計自動化、Ｅ−ＤＣＨ  拡張専用チャネル(Enhanced dedicated channel)、Ｅ−ＵＴＲＡＮ  次世代ＵＭＴＳ地上波無線アクセスネットワーク(Evolved UMTS terrestrial radio access network)、ｅＭＢＭＳ  次世代マルチメディアブロードキャストマルチキャストサービス、ｅＮＢ  次世代ノードＢ、ＥＰＣ  次世代パケットコア、ＥＰＲＥ  リソース要素当たりのエネルギー(Energy per resource element)、ＥＴＳＩ  欧州電気通信標準化機構、Ｅ−ＵＴＲＡ  次世代ＵＴＲＡ、Ｅ−ＵＴＲＡＮ  次世代ＵＴＲＡＮ、ＥＶＭ  誤りベクトルマグニチュード(Error vector magnitude)、およびＦＤＤ  周波数分割複信が含まれる。
【００５７】
さらに他の複数の用語には、ＦＦＴ  高速フーリエ変換、ＦＲＣ  固定基準チャネル、ＦＳ１  フレーム構造タイプ１、ＦＳ２  フレーム構造タイプ２、ＧＳＭ（登録商標）  移動体通信用のグローバルシステム、ＨＡＲＱ  ハイブリッド自動再送要求、ＨＤＬ  ハードウェア記述言語、ＨＩ  ＨＡＲＱインジケータ、ＨＳＤＰＡ  高速ダウンリンクパケットアクセス、ＨＳＰＡ  高速パケットアクセス、ＨＳＵＰＡ  高速アップリンクパケットアクセス、ＩＦＦＴ  逆ＦＦＴ、ＩＯＴ  相互接続性試験、ＩＰ  インターネットプロトコル、ＬＯ  局部発振器、ＬＴＥ  ロングタームエボリューション、ＭＡＣ  媒体アクセス制御、ＭＢＭＳ  マルチメディアブロードキャストマルチキャストサービス、ＭＢＳＦＮ  単一周波数ネットワーク上のマルチキャスト／ブロードキャスト、ＭＣＨ  マルチキャストチャネル、ＭＩＭＯ  マルチプルインプット・マルチプルアウトプット、ＭＩＳＯ  マルチプルインプット・シングルアウトプット、ＭＭＥ  モビリティ管理エンティティ、ＭＯＰ  最大出力電力、ＭＰＲ  最大電力低減、ＭＵ−ＭＩＭＯ  マルチプルユーザＭＩＭＯ、ＮＡＳ  非アクセス層、ＯＢＳＡＩ  オープン基地局アーキテクチャインターフェース、ＯＦＤＭ  直交周波数分割多重、ＯＦＤＭＡ  直交周波数分割多元接続、ＰＡＰＲ  ピーク対平均電力比、ＰＡＲ  ピーク対平均比、ＰＢＣＨ  物理ブロードキャストチャネル、Ｐ−ＣＣＰＣＨ  一次共通制御物理チャネル、ＰＣＦＩＣＨ  物理制御フォーマットインジケータチャネル、ＰＣＨ  ページングチャネル、ＰＤＣＣＨ  物理ダウンリンク制御チャネル、ＰＤＣＰ  パケットデータ収束プロトコル、ＰＤＳＣＨ  物理ダウンリンク共有チャネル、ＰＨＩＣＨ  物理ハイブリッドＡＲＱインジケータチャネル、ＰＨＹ  物理層、ＰＲＡＣＨ  物理ランダムアクセスチャネル、ＰＭＣＨ  物理マルチキャストチャネル、ＰＭＩ  プレ−コーディングマトリックスインジケータ、Ｐ−ＳＣＨ  一次同期信号、ＰＵＣＣＨ  物理アップリンク制御チャネル、およびＰＵＳＣＨ  物理アップリンク共有チャネルが含まれる。
【００５８】
他の複数の用語には、ＱＡＭ  直交振幅変調、ＱＰＳＫ  直交位相変調(Quadrature phase shift keying)、ＲＡＣＨ  ランダムアクセスチャネル、ＲＡＴ  無線アクセス技術、ＲＢ  リソースブロック、ＲＦ  無線周波数、ＲＦＤＥ  ＲＦ設計環境、ＲＬＣ  無線リンク制御、ＲＭＣ  基準測定チャネル、ＲＮＣ  無線ネットワーク制御装置、ＲＲＣ  無線リソース制御、ＲＲＭ  無線リソース管理、ＲＳ  基準信号、ＲＳＣＰ  希望波受信電力(Received signal code power)、ＲＳＲＰ  基準信号受信電力、ＲＳＲＱ  基準信号受信品質、ＲＳＳＩ  受信信号強度インジケータ、ＳＡＥ  システムアーキテクチャエボリューション、ＳＡＰ  サービスアクセスポイント、ＳＣ−ＦＤＭＡ  シングルキャリア周波数分割多元接続、ＳＦＢＣ  空間周波数ブロック符号化、Ｓ−ＧＷ  サービングゲートウェイ、ＳＩＭＯ  シングルインプット・マルチプルアウトプット、ＳＩＳＯ  シングルインプット・シングルアウトプット、ＳＮＲ  信号対雑音比、ＳＲＳ  サウンディング基準信号(Sounding reference signal)、Ｓ−ＳＣＨ  二次同期信号、ＳＵ−ＭＩＭＯ  シングルユーザＭＩＭＯ、ＴＤＤ  時分割複信、ＴＤＭＡ  時分割多元接続、ＴＲ  技術報告、ＴｒＣＨ  トランスポートチャネル、ＴＳ  技術仕様、ＴＴＡ  電気通信技術協会(Telecommunications Technology Association)、ＴＴＩ  送信時間間隔、ＵＣＩ  アップリンク制御インジケータ、ＵＥ  ユーザ機器、ＵＬ  アップリンク（加入者から基地局への伝送）、ＵＬ−ＳＣＨ  アップリンク共有チャネル、ＵＭＢ  ウルトラ−モバイルブロードバンド、ＵＭＴＳ  ユニバーサル移動体通信システム、ＵＴＲＡ  ユニバーサル地上波無線アクセス、ＵＴＲＡＮ  ユニバーサル地上波無線アクセスネットワーク、ＶＳＡ  ベクトル信号アナライザ、Ｗ−ＣＤＭＡ  広帯域符号分割多元接続が含まれる。
【００５９】
様々な態様が、ここでは端末に関して記載されていることに留意する。端末は、また、システム、ユーザデバイス、加入者ユニット、加入者局、移動局、モバイルデバイス、遠隔ステーション、遠隔端末、アクセス端末、ユーザ端末、ユーザエージェント、またはユーザ機器とも呼ばれることができる。ユーザデバイスは、携帯電話、コードレス電話、セッション初期化プロトコル(Session Initiation Protocol)（ＳＩＰ）電話、無線ローカルループ（ＷＬＬ）局、ＰＤＡ、無線接続機能を有するハンドヘルドデバイス、端末内のモジュール、ホストデバイスに取り付けられるもしくはホストデバイス内に組み込まれることのできるカード（例えば、ＰＣＭＣＩＡカード）、または無線モデムに接続された他の処理デバイスであることができる。
【００６０】
さらに、主張される主題の諸態様は、主張される主題の様々な態様を実装するようにコンピュータまたは複数の計算コンポーネントを制御するため、ソフトウェア、ファームウェア、ハードウェア、またはそれらのいずれかの組み合わせを生み出すために、標準的なプログラミングおよび／またはエンジニアリング技術を使用して、方法、装置、または製品として実装されることができる。ここにおいて使用される用語「製品」は、任意のコンピュータ読み取り可能なデバイス、キャリア、または媒体からアクセス可能なコンピュータプログラムを含むことが意図されている。例えば、コンピュータ読み取り可能な媒体は、複数の磁気記憶デバイス（例えば、ハードディスク、フロッピー（登録商標）ディスク、複数の磁気ストリップなど）、複数の光ディスク（例えば、コンパクトディスク（ＣＤ）、デジタル多用途ディスク（ＤＶＤ）など）、複数のスマートカード、および複数のフラッシュメモリデバイス（例えば、カード、スティック、キードライブなど）を含むことができるが、これらに限定されない。さらに、搬送波が、音声メールを送受信する際またはセルラーネットワークなどのネットワークにアクセスする際に使用されるような、コンピュータ読み取り可能な電子データを運ぶために使用されることができることを理解すべきである。もちろん、ここに記載されているものの範囲または精神から逸脱することなく、この構成に多くの修正を加えることができることが、当業者には認識されよう。
【００６１】
以上に記載したものは、１つ以上の実施形態の複数の例を含む。もちろん、前述の諸実施形態を記述する目的で複数のコンポーネントまたは複数の方法の考えられるあらゆる組み合わせを記述することは不可能であるが、様々な実施形態の多くのさらなる組み合わせおよび置換が可能であることを、当業者は認識することができる。したがって、記載された諸実施形態は、添付の請求項の精神および範囲内に入るそのようなすべての変更、修正、および変形を含むことが意図されている。さらに、用語「含む(includes)」が詳細な説明または諸請求項のいずれかで使用される範囲において、そのような用語は、用語「具備する(comprising)」が請求項で移行語(transitional word)として使用されるときに解釈されるときの「具備する」に類似した形で含められることが意図されている。
以下に、本願出願の当初の特許請求の範囲に記載された発明を付記する。
［Ｃ１］  下記を具備する、無線通信のための複数のメッセージを生成するための方法：
第１のメッセージプロトコルを第２のメッセージプロトコルのフレームワーク内にカプセル化すること、
該第１のメッセージプロトコルおよび該第２のメッセージプロトコルからメッセージを生成すること、ならびに、
該第２のメッセージプロトコルに関して指定された割り当てスペースへと該第１のメッセージプロトコルを伝送すること。
［Ｃ２］  該第１のメッセージプロトコルはユーザ機器固有のサーチスペースと関連付けられ、該第２のメッセージプロトコルは共通のサーチスペースと関連付けられる、Ｃ１に記載の方法。
［Ｃ３］  該第１のメッセージプロトコルは共通のサーチスペースと関連付けられ、該第２のメッセージプロトコルはユーザ機器固有のサーチスペースと関連付けられる、Ｃ１に記載の方法。
［Ｃ４］  該メッセージは、信号として追加のビットを使用することなしに基地局とユーザ機器との間で操作をシグナリングするために使用される、Ｃ１に記載の方法。
［Ｃ５］  該操作は基地局とユーザ機器との間の再同期である、Ｃ４に記載の方法。
［Ｃ６］  該メッセージは物理ダウンリンク制御チャネル（ＰＤＣＣＨ）プロトコルの一部として伝送される、Ｃ４に記載の方法。
［Ｃ７］  該メッセージは、ダウンリンクデータが基地局からユーザ機器へと送られる準備のできた状態にあることを示すために生成される、Ｃ６に記載の方法。
［Ｃ８］  該メッセージはアクセスプリアンブルを含む、Ｃ７に記載の方法。
［Ｃ９］  該メッセージは周波数分割複信（ＦＤＤ）および時分割複信（ＴＤＤ）のための割り当てられた時間ロケーションを含む、Ｃ７に記載の方法。
［Ｃ１０］  該メッセージはＴＤＤのための割り当てられた周波数ロケーションを含む、Ｃ７に記載の方法。
［Ｃ１１］  該メッセージは初期伝送電力に対する割り当てられたオフセットを含む、Ｃ７に記載の方法。
［Ｃ１２］  コンテンションフリーアクセスまたはコンテンションベースのランダムアクセスを実行することをさらに具備する、Ｃ１１に記載の方法。
［Ｃ１３］  該メッセージはブロードキャスト制御チャネルフィールドを含む、Ｃ７に記載の方法。
［Ｃ１４］  １つまたは複数のリソースブロックを処理することをさらに具備する、Ｃ１３に記載の方法。
［Ｃ１５］  該メッセージはランダムアクセスチャネルフィールドを含む、Ｃ７に記載の方法。
［Ｃ１６］  該メッセージはページングフィールドを含む、Ｃ７に記載の方法。
［Ｃ１７］  下記を具備する通信装置：
ユニキャストメッセージを共通のサーチスペースへとクロスカップルする、または共通のブロードキャストメッセージをＵＥ固有のサーチスペースへとクロスカップルする複数の命令を保持するメモリ、該複数のメッセージはデバイスにおいて操作をシグナリングするために使用される、および、
該複数の命令を実行するプロセッサ。
［Ｃ１８］  該操作は再同期操作である、Ｃ１７に記載の装置。
［Ｃ１９］  該再同期操作はダウンリンクデータ転送をトリガする、Ｃ１８に記載の装置。
［Ｃ２０］  該データ転送を促進するために物理ダウンリンク制御チャネル（ＰＤＣＣＨ）プロトコルを利用することをさらに具備する、Ｃ１９に記載の装置。
［Ｃ２１］  下記を具備する通信装置：
第１のメッセージプロトコルを第２のメッセージプロトコルのフレームワーク内でフォーマットするための手段、
該第１のメッセージプロトコルから少なくとも１つのメッセージを生成するための手段、および、
該第２のメッセージプロトコルに関して指定された割り当てスペースへと該第１のメッセージプロトコルを伝送する手段。
［Ｃ２２］  下記を具備するコンピュータ読み取り可能な媒体：
ユーザ固有のメッセージを共通のブロードキャストスペースに結合すること、
該ユーザ固有のメッセージを伝送すること、および、
制御操作を示すために該共通のブロードキャストスペースを利用すること。
［Ｃ２３］  下記の複数の命令を実行するプロセッサ：
共通のブロードキャストメッセージをユーザ機器固有のスペースに結合すること、
該共通のブロードキャストメッセージを伝送すること、および、
制御操作を示すために該ユーザ機器固有のスペースを利用すること。
［Ｃ２４］  下記を具備する、無線通信のための複数のメッセージを処理するための方法：
第１のメッセージプロトコルを第２のメッセージプロトコルのフレームワーク内でフォーマットすること、
該第１のメッセージプロトコルおよび該第２のメッセージプロトコルからメッセージを生成すること、ならびに、
該第２のメッセージプロトコルに関して指定された割り当てスペースへと該第１のメッセージプロトコルを受け取ること。
［Ｃ２５］  該第１のメッセージプロトコルはユーザ機器固有のサーチスペースと関連付けられ、該第２のメッセージプロトコルは共通のサーチスペースと関連付けられる、Ｃ２４に記載の方法。
［Ｃ２６］  該第１のメッセージプロトコルは共通のサーチスペースと関連付けられ、該第２のメッセージプロトコルはユーザ機器固有のサーチスペースと関連付けられる、Ｃ２４に記載の方法。
［Ｃ２７］  該メッセージは、信号として追加のビットを使用することなしに基地局とユーザ機器との間で操作をシグナリングするために使用される、Ｃ２４に記載の方法。
［Ｃ２８］  該操作は基地局とユーザ機器との間の再同期である、Ｃ２７に記載の方法。
［Ｃ２９］  下記を具備する通信装置：
共通のサーチスペースにおいてユニキャストメッセージを処理する、またはＵＥ固有のサーチスペースにおいて共通のブロードキャストメッセージを処理する複数の命令を保持するメモリ、該複数のメッセージはデバイスにおいて操作をシグナリングするために使用される、および、
該複数の命令を実行するプロセッサ。
［Ｃ３０］  下記を具備する通信装置：
第１のメッセージプロトコルを第２のメッセージプロトコルのフレームワーク内で処理するための手段、
該第１のメッセージプロトコルまたは該第２のメッセージプロトコルから少なくとも１つのメッセージを処理するための手段、および、
該第２のメッセージプロトコルに関して指定された割り当てスペースにおいて該第１のメッセージプロトコルを受け取るための手段。
［Ｃ３１］  下記を具備するコンピュータ読み取り可能な媒体：
ユーザ固有のメッセージを共通のブロードキャストスペースに結合すること、
該ユーザ固有のメッセージを受け取ること、および、
制御操作を決定するために該共通のブロードキャストスペースを処理すること。
［Ｃ３２］  下記の複数の命令を実行するプロセッサ：
共通のブロードキャストメッセージをユーザ機器固有のスペースに結合すること、
該共通のブロードキャストメッセージを受け取ること、および、
制御操作を決定するために該ユーザ機器固有のスペースをモニタすること。
【図１】
0005394473.tif 000003
【図２】
0005394473.tif 000004
【図３】
0005394473.tif 000005
【図４】
0005394473.tif 000006
【図５】
0005394473.tif 000007
【図６】
0005394473.tif 000008
【図７】
0005394473.tif 000009
【図８】
0005394473.tif 000010
【図９】
0005394473.tif 000011
【図１０】
0005394473.tif 000012
【図１１】
0005394473.tif 000013